(57)【要約】【課題】扉の間口寸法が小さなキッチンにも取り付けることが可能であり、しかも、子供が誤って包丁を抜くことを確実に防止することができる安全性にも優れた包丁収納装置を提供する。【解決手段】上部に包丁の差込口を複数条形成してなる包丁収納装置を、扉の裏面に止着されるベース体と、このベース体に嵌合係止される平面形状が略凹状のカバー体と、該カバー体とベース体の上部に係止されるフランジ体と、該フランジ体に放射状に開設された複数条の差込口と、から構成し、包丁の柄部が各差込口の拡開側に位置するように収納保持するように構成した。【選択図】図１
2006042835.tif 000002
【特許請求の範囲】
【請求項１】
上部に包丁の差込口を複数条形成してなる包丁収納装置において、上記複数条の差込口を放射状に開設し、包丁の柄部が各差込口の拡開側に位置するように収納保持するように構成したことを特徴とする包丁収納装置。
【請求項２】
扉の裏面に止着されるベース体と、このベース体に嵌合係止される平面形状が略凹状のカバー体と、該カバー体とベース体の上部に係止されるフランジ体と、該フランジ体に放射状に開設された複数条の差込口と、から構成されてなる請求項１に記載の包丁収納装置。
【請求項３】
前記フランジ体は、包丁の柄部が立設保持される平面部と、該平面部からベース体側が１段高く形成されてなる棚部と、から構成されてなり、前記各差込口は、棚部から平面部へと直線状に開設されていると共に、該棚部の差込口には、ロック体がスライド可能に配設されていることを特徴とする請求項１又は請求項２のいずれかに記載の包丁収納装置。
【請求項４】
前記棚部の差込口にスライド可能に配設された各ロック体は、その上端部が一本の連結片によって一体に成形され、該連結片には、各差込口を開閉する蓋部が一体形成されていることを特徴とする請求項３に記載の包丁収納装置。
【請求項５】
前記フランジ体の棚部と連結片との対向部には、ガイド溝と凸条レール部が形成され、ロック体は、上記凸条レール部に沿ってスライド可能に装着されていることを特徴とする請求項２乃至請求項４のいずれかに記載の包丁収納装置。
【請求項６】
前記フランジ体の各差込口下面側周縁部から下方に向かって、包丁の刃部の倒れを規制するガイド片が延設されていることを特徴とする請求項２乃至請求項５のいずれかに記載の包丁収納装置。
【発明の詳細な説明】
【技術分野】
【０００１】
この発明は、キッチンの扉の裏側に取り付けられ、複数本の包丁を差し込み保持する包丁収納装置に関する。
【背景技術】
【０００２】
従来のこの種の包丁収納装置としては、特許文献１に示すものが公知である。
【０００３】
【特許文献１】特開平１０−１９２１７４号公報
【発明の開示】
【発明が解決しようとする課題】
【０００４】
この従来の包丁収納装置は、上部のフランジ部に開設された包丁の差込口が斜め方向に複数条がほぼ平行に開設されている構造であり、包丁の柄が相互に干渉しないように収納保持するためには、各差込口の間隔を大きく取らなければならないため、収納本体の幅寸法が必然的に大きくなり、扉の間口寸法が小さなキッチンには使用することができない、という問題を有していた。
【０００５】
この発明は、かかる現状に鑑み創案されたものであって、その目的とするところは、扉の間口寸法が小さなキッチンにも取り付けることが可能であり、しかも、子供が誤って包丁を抜くことを確実に防止することができる安全性にも優れた包丁収納装置を提供しようとするものである。
【課題を解決するための手段】
【０００６】
上記目的を達成するため、請求項１に記載の発明にあっては、上部に包丁の差込口を複数条形成してなる包丁収納装置を技術的前提とし、上記複数条の差込口を放射状に開設し、包丁の柄部が各差込口の拡開側に位置するように収納保持するように構成したことを特徴とする。
【０００７】
また、請求項２に記載の発明は、請求項１に記載の包丁収納装置を技術的前提とし、該収納装置を、扉の裏面に止着されるベース体と、このベース体に嵌合係止される平面形状が略凹状のカバー体と、該カバー体とベース体の上部に係止されるフランジ体と、該フランジ体に放射状に開設された複数条の差込口と、から構成したことを特徴とする。
【０００８】
さらに、請求項３に記載の発明は、請求項１又は請求項２のいずれかに記載の包丁収納装置を技術的前提とし、該収納装置のフランジ体を、包丁の柄部が立設保持される平面部と、該平面部からベース体側が１段高く形成されてなる棚部と、から構成されてなり、前記各差込口は、棚部から平面部へと直線状に開設すると共に、該棚部の差込口には、ロック体がスライド可能に配設したことを特徴とする。
【０００９】
そして、請求項４に記載の発明は、請求項３に記載の包丁収納装置を技術的前提とし、前記棚部の差込口にスライド可能に配設された各ロック体は、その上端部が一本の連結片によって一体に成形され、該連結片には、各差込口を開閉する蓋部が一体形成されていることを特徴とする。
【００１０】
また、請求項５に記載の発明は、請求項２乃至請求項４のいずれかに記載の包丁収納装置を技術的前提とし、前記フランジ体の棚部と連結片との対向部に、ガイド溝と凸条レール部を形成し、ロック体は、上記凸条レール部に沿ってスライド可能に装着されていることを特徴とする。
【００１１】
さらに、請求項６に記載の発明は、請求項２乃至請求項５のいずれかに記載の包丁収納装置を技術的前提とし、前記フランジ体の各差込口下面側周縁部から下方に向かって、包丁の刃部の倒れを規制するガイド片が延設されていることを特徴とする。
【発明の効果】
【００１２】
以上説明したように、請求項１に記載の発明にあっては、上部に包丁の差込口を複数条形成してなる包丁収納装置において、上記複数条の差込口を放射状に開設し、包丁の柄部が各差込口の拡開側に位置するように収納保持するように構成したので、複数本の包丁を収納する場合であっても、包丁の柄が相互に干渉しないスペースを最小の平面積で確保することができ、扉の間口寸法が小さなキッチンにも取り付けることができる。
【００１３】
また、請求項２に記載の発明は、該収納装置を、扉の裏面に止着されるベース体と、このベース体に嵌合係止される平面形状が略凹状のカバー体と、該カバー体とベース体の上部に係止されるフランジ体と、該フランジ体に放射状に開設された複数条の差込口と、から構成したので、組立て分解作業を容易に行なうことができ、交換作業を簡易に行なうことができる。
【００１４】
さらに、請求項３に記載の発明は、包丁収納装置のフランジ体を、包丁の柄部が立設保持される平面部と、該平面部からベース体側が１段高く形成されてなる棚部と、から構成し、これら各差込口は、棚部から平面部へと直線状に開設すると共に、該棚部の差込口には、ロック体がスライド可能に配設されているので、包丁の刃部をカバー体内に安全に収納することができると共に、柄部を棚部よりも低い位置に立設することができるので、誤って手を刃部と接触させる心配がなく安全であり、さらには、ロック体で収納した包丁が収納装置から脱落しないようにロックすることができるので、子供が誤って包丁を抜く心配がなく安全である。
【００１５】
そして、請求項４に記載の発明は、前記棚部の差込口にスライド可能に配設された各ロック体は、その上端部が一本の連結片によって一体に成形され、該連結片には、各差込口を開閉する蓋部が一体形成されているので、一度の操作で収納されている全包丁の脱落を確実に操作することができ、また、ロック解除も一度の操作で行なうことができると共に、蓋部で各差込口を閉じることで、包丁を抜き出そうとしても刃部が蓋部に当たって抜くことができないため、不用意に包丁が脱落する心配がなく安全である。
【００１６】
また、請求項５に記載の発明は、前記フランジ体の棚部と連結片との対向部に、ガイド溝と凸条レール部を形成し、ロック体は、上記凸条レール部に沿ってスライド可能に装着したので、ロック・アンロック操作を小さな力で円滑に行なうことができる。
【００１７】
さらに、請求項６に記載の発明は、前記フランジ体の各差込口下面側周縁部から下方に向かって、包丁の刃部の倒れを規制するガイド片が延設されているので、比較的小さな果物包丁や小ナイフであっても、隣接収納された包丁と干渉することなく垂直に立設保持することができる。
【発明を実施するための最良の形態】
【００１８】
以下、添付図面に示す発明の実施例１に基づき、この発明を詳細に説明する。
【実施例１】
【００１９】
この実施例１に係る包丁収納装置１は、図１乃至図９に示すように、合成樹脂材で形成されたキッチンキャビネットの扉Ｋの裏面に止着されるベース体１０と、このベース体１０に嵌合係止される平面形状が略凹状の合成樹脂製のカバー体２０と、該カバー体２０とベース体１０の上部に係止される合成樹脂製のフランジ体３０と、該フランジ体３０の放射状に開設された４条の差込口３１にスライド自在に装着された合成樹脂製のロック体４０と、から構成されている。
【００２０】
ベース体１０は、図１０乃至図１７に示すように、平板部１１の四隅にビス孔１２が開設されていると共に、該平板部１１の周縁部から立ち上がり形成された両側部１３には、カバー体２０と嵌合係止する弾片１４，１４が一体に形成されている。また、上記平板部１１の上端部には前記フランジ体３０と係合する弾片部１５，１５がやや内方向に傾設されている。
【００２１】
カバー体２０は、図１８乃至図２４に示すように、平面形状が略凹状（略椀状）に形成され、その両側部２１，２１には、ベース体１０の弾片１４，１４の半球部が嵌合係止される係止穴２２，２２が開設されていると共に、その上部には横倒Ｌ字状の棚片部２３，２３が延設されており、該棚片部２３の水平端部から上方に一段高くカバー片部２４，２４が形成され、該カバー片部２４，２４の内側終端部には、ストッパ突起２５，２５が突設されている。尚、図中符号２６はカバー体２０の正面板部を、符号２７は底板部を示している。また、符号２３ａ，２３ａは、棚片部２３の下方に逆凹状に形成された係止溝を示しており、さらに、符号２８は、カバー片部２４，２４の終端部に形成された水平部２９，２９の中央部に形成された解体のときに工具等を差し込むための凹部である。
【００２２】
フランジ体３０は、包丁Ｈの柄部ｈ（図１及び図５参照）が立設保持される平面部３２と、該平面部３２よりベース体側が１段高く形成されてなる棚部３３と、から構成されてなり、前記各差込口３１は、棚部３３から平面部３２へと直線状に開設されており、包丁Ｈの柄部ｈが各差込口３１の拡開側３１Ａに位置するように収納保持するように構成されていると共に、該棚部３３の差込口３１には、ロック体４０がスライド可能に装着されている。尚、図中符号Ｐは、後記するロック体４０をフランジ体３０の棚部３３に組み込むための切欠を示している。
【００２３】
ところで、図示の実施例１では、両側の差込口３１に比べ、真中の２条の差込口３１の長さ寸法を短く形成し、果物ナイフ等を収納保持可能に構成した場合を例にとり説明しているが、この発明にあってはこれに限定されるものではなく、全ての差込口３１を同じ長さに形成することもできる。
【００２４】
また、上記棚部３３には、図２５及び図２８に示すように、該棚部３３の上面よりもやや低い位置に平面形状が略Ｕ字上のガイド凹部３４が形成されており、このガイド凹部３４の略中央部にスライド溝３５が棚部３３の奥行寸法と略同じ長さに亘って開設されている。また、上記フランジ体３０の各差込口３１の下面側周縁部から下方に向かって、包丁の刃部の倒れを規制するガイド片３９が差込口３１を囲うように夫々延設されている
【００２５】
さらに、上記差込口３１の真中の２条の差込口３１の外側には、凸条レール部３６，３６が突設されている。尚、図中符号３７，３７は係止片を、符号３８は、前記ベース部材１０の弾片部１５，１５に係合保持される係止辺部を夫々示している。
【００２６】
ロック体４０は、前記棚部３３の下面に突設された凸状レール部３６，３６にスライド自在に嵌合されるガイド溝４１，４１が形成された連結体４２と、この連結体４２の下面に連接され各差込口３１を閉じる大きさと形状を有する蓋部４３が形成された座体４４と、上記連結体４２の略中央部から上方に延設されたガイド片４５と、該ガイド片４５の上端部に延設された摘み片４６と、から構成されており、上記ガイド片４５は、フランジ体３０の棚部３３に開設されたスライド溝３５に沿ってスライド自在に装着される。尚、この実施例１において、各蓋部４３は、放射状に形成された差込口３１に対応させて扇状に配設されており、各差込口３１の刃部が抜け出さない位置まで覆うことができるように、座体４４の前端部より前方に突出させて構成されている。
【００２７】
次に、上記のように構成されてなる包丁収納装置１の組立て手順を説明すると、先ず、キッチンキャビネットの扉Ｋを開き、該扉Ｋの裏面にベース体１０を当て、４箇所のビス孔１２にビス（図示せず）を螺装して該扉Ｋの裏面に強固に固着する。
【００２８】
次に、カバー体２０の両側部２１，２１がベース体１０の両側部１３，１３の外側となるようにカバー体２０をベース体１０に被せるようにして扉Ｋ方向に押し込むと、ベース体１０の弾片１４，１４がカバー体２０の係止穴２２，２２に嵌合係止され、カバー体２０はベース体１０に位置決められた状態で取り付けられる。このとき、ベース体１０の底部とカバー体２０の底部には、図４と図５に示すように、通気口Ｓが形成されるため、包丁Ｈの刃部に不着した水滴を通気乾燥することができる。
【００２９】
一方、ロック体４０をフランジ体３０の棚部３３に組み込む場合には、前記切欠Ｐからロック体４０の蓋部４３を差し込むと、ガイド片４５が棚部３３に開設されたスライド溝３５にガイドされ、かつ摘み片４６がガイド凹部３４の上面に張り出すように装着されると共に、棚部３３の下面に突設された凸状レール部３６，３６にロック体４０のガイド溝４１，４１がスライド自在に嵌合される。このため、ロック体４０は、別の止着手段を用いることなく容易かつガタツキがない状態でスライド自在に上記フランジ体３０に装着される。勿論、この状態において、上記各蓋部４３はフランジ体３０の各差込口３１を開閉自在となる位置にセットされる。
【００３０】
このようにしてロック体４０が装着されたフランジ体３０を、前記組み立てられたベース体１０とカバー体２０に組み付ける場合には、フランジ体３０の係止辺部３８を前記ベース部材１０の弾片部１５，１５に係合させると共に、フランジ体３０の係止片３７，３７を、カバー体２０の棚片部２３に形成された係止溝２３ａ，２３ａと係合させ、この状態からフランジ体３０の棚部３３を下方に押し込むと、上記棚部３３の後縁部がカバー体２０の水平部２９，２９に当接するので、該フランジ体３０は組み立てられたベース体１０とカバー体２０に装着され、組み立て作業は終了する。
【００３１】
また、これを解体する場合には、カバー体２０の凹部２８にマイナスドライバーを差し込み、ドライバーの柄を下方向に回動させることで、フランジ体３０とカバー体２０との係合状態が解除され、また、カバー体２０をベース体１０から取り外す場合には、ベース体１０の弾片１４，１４を内方向に押圧することで、該弾片１４，１４とカバー体２０の係止穴２２，２２との係合状態が解除されるので、両者を分離させることができ、ドライバーだけで本包丁収納装置１を容易に解体することができる。
【００３２】
尚、上記実施例１では、扉の裏面に止着されるベース体側に包丁の柄部が差し込まれるように差込口の拡開部を配置しているため、扉を開き包丁収納装置内の包丁の出し入れをするに際しては、その扉が左右のどちらに開く扉であっても、また、左利き右利きのどちら向きであっても取り付けることができる。また、差込口についても、包丁やナイフが差し込み可能であればよく、差込口の形状は特に限定されるものではない。
【図面の簡単な説明】
【００３３】
【図１】この発明の実施例１に係る包丁収納装置をキッチンキャビネットの扉の裏面に取り付けた状態を示す斜視図である。
【図２】同収納装置の平面図である。
【図３】同収納装置の背面図である。
【図４】図３Ａ−Ａ線断面図である。
【図５】図３Ｂ−Ｂ線断面図である。
【図６】図３Ｃ−Ｃ線断面図である。
【図７】図３Ｄ−Ｄ線断面図である。
【図８】同収納装置の半截正面図である。
【図９】同収納装置の左側面図である。
【図１０】同収納装置の構成部材であるベース体の背面図である。
【図１１】同ベース体の正面図である。
【図１２】図１１Ｅ−Ｅ線断面図である。
【図１３】図１１Ｆ−Ｆ線断面図である。
【図１４】同ベース体の底面図である。
【図１５】同ベース体の右側面図である。
【図１６】図１１Ｇ−Ｇ線断面図である。
【図１７】図１１Ｈ−Ｈ線断面図である。
【図１８】同収納装置の構成部材であるカバー体の背面図である。
【図１９】同カバー体の背面図である。
【図２０】同カバー体の左側面図である。
【図２１】同カバー体の正面縦中央断面図である。
【図２２】同カバー体の底面図である。
【図２３】同カバー体の平面図である。
【図２４】図１８Ｉ−Ｉ線断面図である。
【図２５】同収納装置の構成部材であるフランジ体の平面図である。
【図２６】同フランジ体の底面図である。
【図２７】同フランジ体の正面図である。
【図２８】同フランジ体の背面図である。
【図２９】同フランジ体の右側面図である。
【図３０】図２５Ｊ−Ｊ線断面図である。
【図３１】図２５Ｋ−Ｋ線断面図である。
【図３２】図２９Ｌ方向矢視図である。
【図３３】同収納装置の構成部材であるロック体の平面図である。
【図３４】同ロック体の左側面図である。
【図３５】同ロック体の正面図
【図３６】図３５Ｎ方向矢視図である。
【図３７】図３３Ｍ−Ｍ線断面図である。
【符号の説明】
【００３４】
Ｈ  包丁
ｈ  包丁の柄
１  包丁収納装置
１０  ベース体
１１  平板部
１２  ビス孔
１４  弾片
１５  弾片部
２０  カバー体
２２  係止穴
２３  棚片部
２３ａ  係止溝
２４  カバー片部
３０  フランジ体
３１  差込口
３１Ａ  差込口の拡開側
３２  平面部
３３  棚部
３４  ガイド凹部
３５  スライド溝
３６  凸条レール部
３７  係止片
３８  係止辺部
３９  ガイド片
４０  ロック体
４１  ガイド溝
４２  連結体
４３  蓋部
４４  座部
４５  ガイド片
４６  摘み片
【図１】
2006042835.tif 000003
【図２】
2006042835.tif 000004
【図３】
2006042835.tif 000005
【図４】
2006042835.tif 000006
【図５】
2006042835.tif 000007
【図６】
2006042835.tif 000008
【図７】
2006042835.tif 000009
【図８】
2006042835.tif 000010
【図９】
2006042835.tif 000011
【図１０】
2006042835.tif 000012
【図１１】
2006042835.tif 000013
【図１２】
2006042835.tif 000014
【図１３】
2006042835.tif 000015
【図１４】
2006042835.tif 000016
【図１５】
2006042835.tif 000017
【図１６】
2006042835.tif 000018
【図１７】
2006042835.tif 000019
【図１８】
2006042835.tif 000020
【図１９】
2006042835.tif 000021
【図２０】
2006042835.tif 000022
【図２１】
2006042835.tif 000023
【図２２】
2006042835.tif 000024
【図２３】
2006042835.tif 000025
【図２４】
2006042835.tif 000026
【図２５】
2006042835.tif 000027
【図２６】
2006042835.tif 000028
【図２７】
2006042835.tif 000029
【図２８】
2006042835.tif 000030
【図２９】
2006042835.tif 000031
【図３０】
2006042835.tif 000032
【図３１】
2006042835.tif 000033
【図３２】
2006042835.tif 000034
【図３３】
2006042835.tif 000035
【図３４】
2006042835.tif 000036
【図３５】
2006042835.tif 000037
【図３６】
2006042835.tif 000038
【図３７】
2006042835.tif 000039